(57)【特許請求の範囲】
【請求項１】
電気素子を収容する本体と、本体から突き出し電気素子に電気的に接続される少なくても２本のリード線とを含む電気装置を収容するための容器であり、
頂部開口領域と底領域とを備える、電気装置を収容するためのへこみであり、頂部開口領域を介して電気装置はへこみ内に挿入される、へこみと、
頂部開口領域から底領域へ向かって方向付けされる第二方向と直角な第一方向において電気装置の移動を抑制する、一対の突起と、を有し、
対を成す突起は、第一方向において相互に対面するそれぞれの支持表面を備え、対を成す支持表面の間の第一方向における間隔は、支持表面の各々が同時に電気装置に接触して電気装置が第一方向において移動することを防止するように、第二方向において減少し、
更に、第二方向と直角であり且つ第一方向とは異なる第三方向において電気装置の移動を抑制するもう一つの対を成す突起を有し、もう一つの対を成す突起は第三方向において相互に対面するそれぞれの支持表面を備えて、第三方向において電気装置に各々が対面するもう一つの対を成す支持表面の間で、第三方向における電気装置の移動が限定され、
もう一つの対を成す支持表面は、第三方向における電気装置の移動がもう一つの対を成す支持表面により限定される時にもう一つの対を成す支持表面の少なくても一方と電気装置との間に第三方向における隙間が形成されるように、形成される、容器。
【請求項２】
対を成す支持表面は、対を成す支持表面の各々が電気装置の本体に同時に接触し且つ対を成す支持表面がリード線に接触することが防止されるよう、形成される、請求項１に記載の容器。
【請求項３】
対を成す突起は、電気装置が対を成す支持表面により第一方向に移動することが防止される時に対を成す突起がリード線に接触することが防止されるよう、形成される、請求項１に記載の容器。
【請求項４】
第三方向におけるもう一つの対を成す支持表面の間の間隔は、第二方向において減少する、請求項１に記載の容器。
【請求項５】
もう一つの対を成す支持表面は、もう一つの対を成す支持表面がリード線に接触することが防止され且つもう一つの対を成す支持表面の一方が電気装置の本体に接触することを許容されて電気装置の移動が第三方向において限定されるように、形成される、請求項１に記載の容器。
【請求項６】
もう一つの対を成す突起は、第三方向における電気装置の移動がもう一つの対を成す支持表面の間で限定される時にもう一つの対を成す突起がリード線に接触することが防止されるように、形成される、請求項１に記載の容器。
【請求項７】
対を成す支持表面の各々が同時に電気装置の本体の外周角に接触して電気装置の重量を負担し且つ電気装置が第一方向に移動することを防止するよう、対を成す支持表面は第二方向に先細り形状である、請求項１に記載の容器。
【請求項８】
支持表面の一方と第二方向との間の角度は、底領域から頂部開口領域へ向かう第四方向において減少する、請求項１に記載の容器。
【発明の詳細な説明】
【０００１】
【発明の属する技術分野】
本発明は、少なくても２本のリード線を備える電気装置を収容するための容器、特に、ＩＣチップのような電子装置をそれぞれ収容する複数のへこみを備える熱可塑性樹脂テープ状キャリアー容器として使用可能な容器に関する。
【０００２】
【従来の技術】
従来技術においては、電気装置を収容するための容器のへこみは、へこみの底部から突き出る一対の突起を有して、電気装置のへこみ内での移動を抑制していた。
【０００３】
【発明が解決しようとする課題】
本発明の目的は、電気装置を収容する容器であり、電気装置が安定して且つ正確に容器内に保持される容器を提供することである。
【０００４】
【課題を解決するための手段とその作用】
本発明によれば、半導体素子、キャパシター素子、抵抗素子、電気的接続配線、マイクロプロセッサー等のような電気素子或いは電気回路を収容する本体と、本体から突き出し電気素子或いは電気回路に電気的に接続される少なくても２本のリード線とを含む電気装置を収容するための容器は、頂部開口領域と底領域とを備える、電気装置を収容するためのへこみであり、頂部開口領域を介して電気装置はへこみ内に挿入される、へこみと、頂部開口領域から底領域へ向かって方向付けされる第二方向と直角な第一方向において電気装置の移動を抑制する、一対の突起と、を有し、対を成す突起は、第一方向において相互に対面するそれぞれの支持表面を備え、対を成す支持表面の間の第一方向における間隔は、支持表面の各々が同時に電気装置に接触して電気装置が第一方向において移動することを防止するように、第二方向において減少する。
【０００５】
支持表面の各々が同時に電気装置に接触して、即ち、支持表面の一方が電気装置に接触しその一方で或いはそれと同時に支持表面のもう一方も電気装置に接触して、電気装置が第一方向において移動することを防止するよう、第一方向において相互に対面して対を成す支持表面の間の第一方向における間隔は、第二方向において徐々に減少するので、或いは、第一方向において相互に対面して対を成す支持表面は、第二方向において先細り形状とされるので、電気装置は、へこみの形状の正確な寸法制御を必要とすること無く、先細り形状とされた対を成す支持表面の間で、安定して且つ正確に保持され位置決めされる。当然のこととして、対を成す支持表面の間の上側間隔は、支持表面とそれぞれに接触されるべき電気装置の部分の幅より大きく、対を成す支持表面の間の下側間隔は、支持表面とそれぞれに接触されるべき電気装置の部分の幅より小さい。
【０００６】
対を成す支持表面が、対を成す支持表面の各々が電気装置の本体に同時に接触し且つ対を成す支持表面が（好適には対を成す支持表面の両方が同時に）リード線に接触することが防止されるように、形成されるならば、電気装置が安定して且つ正確に対を成す支持表面の間で保持されつつリード線の過大な応力或いは歪みが防止される。リード線の過大な応力或いは歪みを防止するために、対を成す突起は、電気装置が対を成す支持表面により第一方向に移動することが防止される時に対を成す突起が（好適には対を成す突起の両方が同時に）リード線に接触することが防止されるように、形成されることが好適である。
【０００７】
容器が更に、第二方向と直角であり且つ第一方向とは異なる第三方向において電気装置の移動を抑制するもう一つの対を成す突起を有し、もう一つの対を成す突起は第三方向において相互に対面するそれぞれの支持表面を備えて、第三方向において電気装置に各々が対面するもう一つの対を成す支持表面の間で、第三方向における電気装置の移動が限定されることが好適である。電気装置の過大な応力或いは歪みを防止するために、もう一つの対を成す支持表面は、第三方向における電気装置の移動がもう一つの対を成す支持表面により限定される時にもう一つの対を成す支持表面の少なくても一方と電気装置との間に第三方向における隙間が形成されるように、形成されることが好適である。第三方向におけるもう一つの対を成す支持表面の間の間隔は、第二方向において徐々に減少しても良い。
【０００８】
リード線の過大な応力或いは歪みを防止するために、もう一つの対を成す支持表面は、もう一つの対を成す支持表面の一方が電気装置の本体に接触することを許容されて電気装置の移動が第三方向において限定される時にもう一つの対を成す支持表面が（好適にはもう一つの対を成す支持表面の両方が同時に）リード線に接触することが防止され且つように、形成されること、及び／又は、もう一つの対を成す突起は、第三方向における電気装置の移動がもう一つの対を成す支持表面の間で限定される時にもう一つの対を成す突起が（好適にはもう一つの対を成す突起の両方が同時に）リード線に接触することが防止されるように、形成されること、が好適である。
【０００９】
対を成す支持表面ともう一つの対を成す支持表面との剛性は、対を成す支持表面の各々ともう一つの対を成す支持表面の各々とが同時に電気装置に接触して、電気装置が第一方向と第三方向に移動することが防止されることを可能にするために、充分に小さいことが好適である。対を成す支持表面の各々が同時に電気装置の本体の外周角隅に接触して電気装置の重量を負担し且つ電気装置が第一方向に移動することを防止するよう、対を成す支持表面は第二方向に先細り形状であるならば、リード線の損傷、即ち、リード線の過大な歪みと応力とが確実に防止され、支持表面に接触されるべき電気装置本体の外表面領域の形状の精密な寸法コントロールが必要でない。
【００１０】
対を成す突起が、対を成す支持表面の裏面として第一方向において相互に反対側となり第二方向に延びる裏面をそれぞれ有するならば、リード線の過剰な歪みと応力を防止するために、対を成す突起は、支持表面の両方が同時に電気装置に接触して電気装置が第一方向に移動することを防止する時に裏面の少なくても一方がリード線に接触することが防止されるように、形成されることが好適である。
【００１１】
支持表面の一方又は支持表面の各々と第二方向との間の角度は、底領域から頂部開口領域へ向かう第四方向において、即ち第二方向に反対の方向において、減少する。
【００１２】
第一方向において相互に対面する支持表面の一方が深さ方向にほぼ平行に延び、支持表面のもう一方が深さ方向に傾斜して延びて、第一方向において相互に対面する先細り形状の支持表面を形成しても良い。
【００１３】
【発明の実施の形態】
図１に示されるように、ＳＯＰ（small outline package）、ＳＳＯＰ（shrink small outline package）、ＴＳＯＰ（thin small outline package）、ＴＳＳＯＰ（thin shrink small outline package）、ＰＬＣＣ（plastic leaded chip carrier）、ＱＦＰ（quad flat package）、ＢＧＡ（ball grid allay）等にような電気装置１０のためのキャリアーテープとして使用され、柔軟性樹脂で作られる容器１は、へこみ（陥没領域）２とフランジ３とを有する。電気装置１０は、その中に電気回路或いは電気素子（図示されず）が収容され、合成樹脂、セラミック、金属材料等で作られる本体１０ａと、本体から突き出し電気回路に電気的に接続される少なくても２本のリード線１０ｂとを有している。へこみ２は、一定の間隔でキャリアーテープの長手方向に沿って整列され、その中にそれぞれ電気装置を収容できる。テープ状カバー（図示されず）がフランジ３に接着されてへこみを覆って、電気装置はへこみから取り外されることが防止され、テープ送り穴４はフランジの少なくても一方の側で長手方向に沿って配置されている。へこみ２は、熱可塑性樹脂シートの複数の部分を成形型のそれぞれの窪み内に空気圧で（真空或いは加圧空気による圧力差により）付勢することにより形成される。
【００１４】
へこみ２の各々は、２対の突起５を有する。２対の内の一方の対応する突起５の傾斜された或いは先細り形状にされた支持表面５ａは、キャリアーテープの長手方向において相互に対面し、２対の内のもう一方の対応する突起５の傾斜された或いは先細り形状にされた支持表面５ａは、キャリアーテープの長手方向に直角な方向において相互に対面する。
【００１５】
へこみ２の各々において、各対の支持表面５ａの傾斜されたあるいは先細りの形状は、各対の支持表面５ａの間の間隔が、電気装置１０のへこみ２内への挿入のための頂部開口領域からへこみ２の底領域へ向かって方向付けされた深さ方向において徐々に減少し、一方の対の支持表面５ａの各々或いは各対の支持表面５ａの各々が同時に電気装置１０に接触して電気装置１０が長手方向及び／又は長手方向に直角な方向に移動することを防止する。
【００１６】
対を成す支持表面５ａは、対を成す支持表面５ａの各々が同時に電気装置１０の本体１０ａに接触し、対を成す支持表面５ａが（好適には、対を成す支持表面５ａの片方づつがではなく、対を成す支持表面５ａの両方が同時に）リード線１０ｂに接触することが防止されるように形成される。一方の対を成す突起５或いは二つの対を成す突起５は、電気装置１０が一方の対を成す突起５或いは二つの対を成す突起５により長手方向及び／又は長手方向に直角な方向に移動することを防止される時に、電気装置１０が一方の対を成す突起５或いは二つの対を成す突起５が（好適には、対を成す突起５の片方づつがではなく、対を成す突起５の両方が同時に）リード線１０ｂに接触することが防止されるように、形成される。
【００１７】
長手方向と長手方向に直角な方向の一方における電気装置１０の移動は、一方の対を成す支持表面５ａの間で、長手方向と長手方向に直角な方向のもう一方における電気装置１０の移動がもう一方の対を成す支持表面５ａの間で防止される時に、当該一方の対を成す支持表面５ａの少なくても一方と電気装置１０との間に隙間を伴って、限定されても良い。
【００１８】
一方の対を成す支持表面５ａは、一方の対を成す支持表面５ａが（好適には、一方の対を成す支持表面５ａの片方づつがではなく、一方の対を成す支持表面５ａの両方が同時に）リード線１０ｂに接触することが防止されつつ、一方の対を成す支持表面５ａの一方が電気装置１０の本体１０ａに接触することを許容されて、長手方向と長手方向に直角な方向との一方における電気装置１０の移動が制限されるように、形成されても良い。
【００１９】
少なくとも一方の対を成す支持表面５ａは、深さ方向において先細り形状とされて、少なくとも一方の対を成す支持表面５ａの各々が同時に本体１０ａの外周角隅に接触して電気装置１０の重量を負担し且つ電気装置１０が長手方向及び／又は長手方向に直角な方向において移動することを防止する。
【００２０】
対を成す支持表面５ａの剛性は、突起５のシェル（薄肉殻状）構造及び／又は突起を形成するプラスティック材料の低剛性により、対を成す支持表面５ａの各々が同時に電気装置１０に接触するに十分なだけ減少されて、電気装置１０が長手方向及び長手方向に直角な方向において移動することが抑制される。
【００２１】
長手方向及び長手方向に直角な方向の各々において互いに反対側となり深さ方向に延びる突起５の裏面５ｂは、少なくても一方の対を成す支持表面５ａが電気装置１０に接触して電気装置１０が長手方向及び／又は長手方向に直角な方向において移動することを防止する時に、リード線１０ｂに接触することが防止される。
【００２２】
支持表面５ａの各々と深さ方向との間の角度は、好適には、±１０度の公差で４５度である。支持表面５ａの各々は、曲げられて、頂部開口領域に相対的に近い上支持表面領域と底領域に相対的に近い下支持表面領域との対を形成しても良い。下支持表面領域と深さ方向との間の角度（好適には、±１０度の公差で４５度）は、上支持表面領域と深さ方向との間の角度（好適には、±１０度の公差で２５度）より大きい。本体１０ａの外周角隅は、下支持表面領域に接触して電気装置１０を位置決めすることが好適である。
【図面の簡単な説明】
【図１】  (a)は本発明の容器（部品キャリアーテープ）を示す斜視図。
(b)は容器を示す側面図
(c)は容器を示す断面図。
【図２】  (a)は電気装置を収容する容器のへこみを示す前面図。
(b)は容器内で第一方向において位置決めされた電気装置を示す部分断面図。  (c)は容器内で第一方向に直角なもう一つの方向において位置決めされた電気装置を示す部分断面図。
【符号の説明】
１  容器
２  へこみ（陥没領域）
３  フランジ
４  テープ送り穴
５  突起
５ａ  支持表面
５ｂ  裏面
１０  電気装置
１０ａ  本体
１０ｂ  リード線
【図１】
0004051200.tif 000002
【図２】
0004051200.tif 000003